【手続補正書】
【提出日】平成28年5月13日(2016.5.13)
【手続補正１】
【補正対象書類名】特許請求の範囲
【補正対象項目名】全文
【補正方法】変更
【補正の内容】
【特許請求の範囲】
【請求項１】
第１のＰＣＢと、
前記第１のＰＣＢの上又は中に配設された光抽出部を有する複数の第１の光導波路であって、前記光抽出部が互いに千鳥状に配置されている、複数の第１の光導波路と、
を備える第１のプリント基板（ＰＣＢ）アセンブリと、
電気コネクタを介して前記第１のＰＣＢの第１の側に接続された第２のＰＣＢと、
前記第２のＰＣＢの上又は中に配設された光抽出部を有する複数の第２の光導波路であって、前記光抽出部が互いに千鳥状に配置され、前記複数の第２の光導波路における各第２の光導波路が、前記複数の第１の光導波路における異なる第１の光導波路に対応している、複数の第２のＰＣＢアセンブリと、
互いに千鳥状に配置された複数の第１のマイクロレンズであって、前記複数の第１のマイクロレンズにおける各第１のマイクロレンズが、前記複数の第１の光導波路における異なる第１の光導波路に対応している、複数の第１のマイクロレンズと、
互いに千鳥状に配置された複数の第２のマイクロレンズであって、前記複数の第２のマイクロレンズにおける各第２のマイクロレンズが、前記複数の第２の光導波路における異なる第２の光導波路に対応している、複数の第２のマイクロレンズと、を備える光配線アセンブリであって、
前記複数の第１の光導波路における各第１の光導波路の前記光抽出部と、前記複数の第２の光導波路における対応する前記第２の光導波路は、前記第１の光導波路内を進む光が、前記第１の光導波路の前記光抽出部によって方向転換された後で前記第２の光導波路に進入し、前記第１の光導波路を出て、前記第１の光導波路に対応する前記複数の第１のマイクロレンズにおける前記第１のマイクロレンズを通って進み、前記第２の光導波路に対応する前記複数の第２のマイクロレンズにおける前記第２のマイクロレンズを通って進み、前記第２の光導波路の前記光抽出部によって方向転換されるように配向される、光配線アセンブリ。
【請求項２】
第１の平面に配設された複数の第１の光導波路であって、各第１の光導波路が、第１の光抽出部を具備し、前記第１の光抽出部が互いに千鳥状に配置されている、複数の第１の光導波路と、
前記第１の平面と斜角を成す第２の平面上に配設された複数の第２の光導波路であって、各第２の光導波路が第２の光抽出部を具備し、前記第２の光抽出部が互いに千鳥状に配置され、前記複数の第２の光導波路における各第２の光導波路が前記複数の第１の光導波路における異なる第１の光導波路に対応している、複数の第２の導波路と、
互いに千鳥状に配置された複数の第１のマイクロレンズであって、前記複数の第１のマイクロレンズにおける各第１のマイクロレンズが、前記複数の第１の光導波路における異なる第１の光導波路に対応している、複数の第１のマイクロレンズと、
互いに千鳥状に配置された複数の第２のマイクロレンズであって、前記複数の第２のマイクロレンズにおける各第２のマイクロレンズが、前記複数の第２の光導波路における異なる第２の光導波路に対応している、複数の第２のマイクロレンズと、を備える光配線アセンブリであって、
前記複数の第１の光導波路における各第１の光導波路の前記第１の光抽出部、及び前記複数の第２の光導波路における前記対応する第２の光導波路の前記第２の光抽出部が、前記第１の光導波路内を進む光が、前記第１の光導波路の前記第１の光抽出部によって方向転換された後で前記第２の光導波路に進入し、前記第１の光導波路を出て、前記第１の光導波路に対応する前記複数の第１のマイクロレンズにおける前記第１のマイクロレンズを通って進み、前記第２の光導波路に対応する前記複数の第２のマイクロレンズにおける前記第２のマイクロレンズを通って進み、前記第２の光導波路の前記第２の光抽出部によって方向転換されるように配向されている、光配線アセンブリ。
【請求項３】
第１のプリント基板（ＰＣＢ）と、
電気コネクタを介して前記第１のＰＣＢに接続され、その上に装着された第１の電気光学装置を具備する第２のＰＣＢと、
複数の第１の光導波路であって、各第１の光導波路の第１の端部が、前記第１の電気光学装置に光学的に結合され、各第１の光導波路が、第１の光抽出部を具備し、前記複数の第１の光導波路における前記第１の光抽出部が、互いに千鳥状に配置されている、複数の第１の光導波路と、
複数の第２の光導波路であって、各第２の光導波路が第２の光抽出部を具備し、前記複数の第２の光導波路における前記第２の光導波路が、互いに千鳥状に配置され、前記複数の第２の光導波路における各第２の光導波路が、前記複数の第１の光導波路における異なる第１の光導波路に対応している、複数の第２の光導波路と、
前記第１のＰＣＢ上に装着された光カプラであって、
互いに千鳥状に配置された複数の第１のマイクロレンズであって、前記複数の第１のマイクロレンズにおける各第１のマイクロレンズが、前記複数の第１の光導波路における異なる第１の光導波路に対応している、複数の第１のマイクロレンズ、及び、
互いに千鳥状に配置された複数の第２のマイクロレンズであって、前記複数の第２のマイクロレンズにおける各第２のマイクロレンズが、前記複数の第２の光導波路における異なる第２の光導波路に対応している、複数の第２のマイクロレンズ、を具備する光カプラと、を備える光配線アセンブリであって、
前記複数の第１の光導波路における各第１の光導波路の前記第１の光抽出部、及び前記複数の第２の光導波路における前記対応する第２の光導波路の前記第２の光抽出部が、前記第１の光導波路内を進む光が、前記第１の光導波路の前記第１の光抽出部によって方向転換された後で前記第２の光導波路に進入し、前記第１の光導波路を出て、前記第１の光導波路に対応する前記複数の第１のマイクロレンズにおける前記第１のマイクロレンズを通って進み、前記第２の光導波路に対応する前記複数の第２のマイクロレンズにおける前記第２のマイクロレンズを通って進み、前記第２の光導波路の前記第２の光抽出部によって方向転換されるように配向されている、光配線アセンブリ。
【請求項４】
第１のプリント基板（ＰＣＢ）の上又は中に配設された複数の第１の光導波路であって、各第１の光導波路が端面を具備する、複数の第１の光導波路と、
第２のＰＣＢの上又は中に配設された複数の第２の光導波路であって、各第２の光導波路が光抽出部を具備し、前記光抽出部が互いに千鳥状に配置され、前記複数の第２の光導波路における各第２の光導波路が、前記複数の第１の光導波路における異なる第１の光導波路に対応している、複数の第２の光導波路と、
複数の第１のマイクロレンズであって、前記複数の第１のマイクロレンズにおける各第１のマイクロレンズが前記複数の第１の光導波路における異なる第１の光導波路に対応している、複数の第１のマイクロレンズと、
互いに千鳥状に配置された複数の第２のマイクロレンズであって、前記複数の第２のマイクロレンズにおける各第２のマイクロレンズが、前記複数の第２の光導波路における異なる第２の光導波路に対応している、複数の第２のマイクロレンズと、を備える光配線アセンブリであって、
前記複数の第１の光導波路における各第１の光導波路の前記端面、及び前記複数の第２の光導波路における前記対応する第２の光導波路の前記光抽出部が、前記第１の光導波路内を進む光が、前記第１の光導波路の前記端面を通って前記第１の光導波路を出た後で前記第２の光導波路に進入し、前記第１の光導波路に対応する前記複数の第１のマイクロレンズにおける前記第１のマイクロレンズを通って進み、前記第２の光導波路に対応する前記複数の第２のマイクロレンズにおける前記第２のマイクロレンズを通って進み、前記第２の光導波路の前記第２の光抽出部によって方向転換されるように配向されている、光配線アセンブリ。